(57)【特許請求の範囲】
【請求項１】
それぞれに端子を一体形成した一対の固定接点が内部底面に露呈するようにインサート成形された上面開口の樹脂製箱形のケースと、支点部となる一端から二股に分岐して延設され、中間部を屈曲部として他端に上記固定接点と弾接する一対の可動接点を設けたＵ字形に形成されると共に、上記屈曲部の可動接点側に二股を繋いで操作点となる連結部を設けた弾性を有する金属板からなる接触片と、この接触片の連結部に当接して接触片を押圧操作する押圧部を下端側方に設けた棒状部からなる成形樹脂製の操作体と、この操作体の棒状部が外部に突出する孔および上記接触片の支点部に当接して支点部を位置決めして支持する支持壁を設けて平板状に形成されると共に、両端に設けられた取付枠部を介して上記ケースの上面に結合された成形樹脂製のカバーからなり、上記操作体の棒状部の下端側方で前記押圧体と反対方向に、細巾部とその先端部がそれぞれ側方に突出させて略Ｔ字状とした位置規制用の規制部を設けると共に、上記カバーの孔からその内周に沿って下方に向って延設され、上記操作体の細巾部を両側から挟むように柱状部を設けて、上記Ｔ字状の規制部の先端内側面が上記柱状部に当たることにより上記操作体が傾き規制されるプッシュスイッチ。
【発明の詳細な説明】
【０００１】
【発明の属する技術分野】
本発明は各種電子機器に使用されるプッシュスイッチに関するものである。
【０００２】
【従来の技術】
従来のプッシュスイッチを図７〜図１１を用いて説明する。
【０００３】
図７の分解斜視図及び図８の同断面図において、１は上面に開口部を有する箱型に形成された成形樹脂製のケースで、その内部底面に固定接点２Ａを有する固定端子２と、固定接点３Ａを有する固定端子３がインサート成形により固定されている。
【０００４】
４は弾性を有する導電金属薄板からなる接触片で、端部が上方に曲げ起こされた支点部４Ｂの近傍から二股に伸ばされたアームの先端に各々可動接点部４Ｃ，４Ｄを有し、略Ｕ字状の屈曲部４Ａの可動接点部４Ｃ，４Ｄ側に二股を繋ぐ連結部４Ｅが設けられており、また１０は成形樹脂からなる棒状の操作体で、後述のカバー１１中央の孔１１Ａに上下動可能に保持されケース１の上方に突出した操作部１０Ｂを上方に有し、下方部は前記接触片４の支点部４Ｂ近傍から略Ｕ字状の屈曲部４Ａまでの上腕部４Ｆの間を通過可能で、前記二股の連結部４Ｅを押圧する押圧部１０Ａを側方に突出して有している。
【０００５】
そして、１１はケース１の開口部を覆うように両側の取付枠１１Ｃに固定されたカバーで、操作体１０をその中央の孔１１Ａで上下動可能に保持し、ケース１内に収容された接触片４の支点部４Ｂをケース１との接合部で回動可能に支持する支持壁１１Ｂを下面端部に有している。
【０００６】
なお、操作体１０の押圧部１０Ａと当接する接触片４の連結部４Ｅの略中央には、円弧状に曲げたカール部分を設けている。
【０００７】
次に上記のような構成の従来のプッシュスイッチの動作について説明する。
図８に示す通常状態において、操作体１０を押し下げると、操作体１０の下方の押圧部１０Ａに当接した接触片４の連結部４Ｅが下方に押され、接触片４は支点部４Ｂを中心としてたわみながら回動し、可動接点部４Ｃは固定接点３Ａ上を摺動し、可動接点部４Ｄはケース１底面の絶縁部から固定接点２Ａ上へ移行して図９の状態となり、固定端子２と固定端子３の間が接続される。
【０００８】
このとき操作体１０はカバー１１の中央にある孔１１Ａの厚みにてガイドされて動作するものであり、また操作体１０を押し下げる力を除去すると、接触片４の弾性復帰力により操作体１０を押し上げて、元の図８の通常状態に復帰するものである。
【０００９】
【発明が解決しようとする課題】
しかしながら、近年この種のプッシュスイッチは面実装方式で使用されることが多くなったため、図１０に示すように自動実装機の吸着ノズル１２で吸着される際、カバー１１の上方に突出した操作部１０Ｂはプッシュスイッチの上面略中央部になければならず、また一方、弾性を必要とする接触片４はバネ定数を低くおさえるために、限られたスペースの中でできるだけ長くしなければならないため、操作体１０の操作部１０Ｂの中心位置と接触片４の連結部４Ｅを押圧する押圧部１０Ａの位置が偏心してしまうような構成になっていた。
【００１０】
そして、上記従来の構成では、操作体１０の傾き防止はカバー１１の厚みでしか行えないため、カバー１１の厚みを薄くすると操作体１０は、図１１（ａ）および（ｂ）に示すように、操作部１０Ｂと押圧部１０Ａの間に回転モーメントが発生して操作体１０が傾いてしまい、実装時の吸着ノズル１２と操作部１０Ｂが干渉して吸着不良を生じたり、こじれや傾き等による操作感触不良や接点ＯＮ位置精度のばらつき等の不具合が生じていた。
【００１１】
また、操作体１０の傾きを押さえるためにカバー１１の厚みを大きくすると、スイッチ本体が大きくなり、小型化の障害となっていた。
【００１２】
本発明はこのような従来の課題を解決するものであり、自動実装時の吸着不良がなく、小型で接点ＯＮ位置精度が安定し、操作感触の優れたプッシュスイッチを提供することを目的とするものである。
【００１３】
【課題を解決するための手段】
本発明は上記課題を解決するために、操作体の押圧部の反対側に略Ｔ字状の傾き規制部を設け、カバーに規制部が上下動可能なガイド部を設けたものである。
【００１４】
これにより、上記規制部がガイド部でガイドされて上下動し、操作部と押圧部の偏心により発生する回転モーメントを押さえて操作体の傾きを防止することができる。
【００１５】
【発明の実施の形態】
本発明の請求項１に記載の発明は、それぞれに端子を一体形成した一対の固定接点が内部底面に露呈するようにインサート成形された上面開口の樹脂製箱形のケースと、支点部となる一端から二股に分岐して延設され、中間部を屈曲部として他端に上記固定接点と弾接する一対の可動接点を設けたＵ字形に形成されると共に、上記屈曲部の可動接点側に二股を繋いで操作点となる連結部を設けた弾性を有する金属板からなる接触片と、この接触片の連結部に当接して接触片を押圧操作する押圧部を下端側方に設けた棒状部からなる成形樹脂製の操作体と、この操作体の棒状部が外部に突出する孔および上記接触片の支点部に当接して支点部を位置決めして支持する支持壁を設けて平板状に形成されると共に、両端に設けられた取付枠部を介して上記ケースの上面に結合された成形樹脂製のカバーからなり、上記操作体の棒状部の下端側方で前記押圧体と反対方向に、細巾部とその先端部がそれぞれ側方に突出させて略Ｔ字状とした位置規制用の規制部を設けると共に、上記カバーの孔からその内周に沿って下方に向って延設され、上記操作体の細巾部を両側から挟むように柱状部を設けて、上記略Ｔ字状の規制部の先端内側面が上記柱状部に当たることにより上記操作体が傾き規制されるプッシュスイッチとしたものであり、操作体の押圧部中心位置と接触片の連結部を押圧する押圧部が偏心していることにより操作体が傾こうとしても、操作体に形成された規制部がバーに形成された孔と柱状部からなるガイド部により規制されるので、操作体が傾かないという作用を有する。
【００１７】
以下、本発明の一実施の形態について図１〜図６を用いて説明する。
なお、本実施の形態において従来例と同じ構成の部分については同一の番号を付してその説明を省略する。
【００１８】
図１は同実施の形態によるプッシュスイッチの分解斜視図、図２は同断面図であり、同図において、１は上面に開口部を有する成形樹脂製の箱形のケースで、その内部底面に固定接点２Ａを有する固定端子２と固定接点３Ａを有する固定端子３がインサート成形により固定されていることは従来例と同じであり、また、４も弾性金属薄板からなる接触片で、端部が上方に曲げ起こされた支点部４Ｂの近傍から二股に伸ばされた先端に各々固定接点３Ａおよびケース１底面に弾接した可動接点部４Ｃおよび４Ｄを有し、略Ｕ字状の屈曲部４Ａの可動接点部４Ｃ，４Ｄ側に二股を繋ぐ連結部４Ｅが設けられていることも従来例と同様である。
【００１９】
そして、５は成形樹脂からなる操作体で、図３（ａ）の上面図、同（ｂ）の正面図に示すように、棒状部５Ａの下端側方に、上記接触片４の連結部４Ｅを押す押圧部５Ｂを有することは従来例と同様であるが、その反対側には略Ｔ字状の規制部５Ｃを有している。
【００２０】
また、６はケース１の開口部を覆う成形樹脂製のカバーで、図４（ａ）の上面図、同（ｂ）の正面断面図、同（ｃ）の側面断面図に示すように、平板部中央に操作体５の棒状部５Ａを貫通保持する孔６Ａと、その内周に沿って下方に伸ばされた二つの平行な柱状部６Ｂを有しており、この両者で上記操作体５の上下動のガイド部を形成している。
【００２１】
なお、カバー６の平板部下方にケース１の側壁内側に沿って伸ばされた支持壁６Ｃが接触片４の支点部４Ｂの支持部を形成し、平板部両側にケース１への取付枠６Ｄを有していることは従来例と同様である。
【００２２】
そして、プッシュスイッチに組み立てた状態における上記操作体５とカバー６の関係は、図５の断面図に示すように、操作体５の棒状部５Ａと略Ｔ字状の規制部５Ｃの間の細巾部５Ｄを両側から挟むようにカバー６の平行な柱状部６Ｂに入り込んでいる。
【００２３】
次に、このように構成された本発明のプッシュスイッチの動作について説明する。
【００２４】
図２に示す通常状態において、操作体５の操作部５Ｅを押し下げる時、操作体５の押圧部５Ｂに当接した接触片４の連結部４Ｅが下方に押され、接触片４が支点部４Ｂを中心としてたわみながら回動し、図６の状態となり、可動接点部４Ｃと４Ｄが固定端子２と３の間を接続すること、および、操作体５を押し下げる力を除去すると、接触片４の弾性復元力により操作体５を押し上げて、元の図２の状態に復帰することは従来例と同じである。
【００２５】
そして、この操作時に操作体５の操作部５Ｅと押圧部５Ｂの間の位置の偏心により操作体５が傾こうとしても、操作体５の略Ｔ字状の規制部５Ｃの先端内側面５Ｆが、カバー６の平行な柱状部６Ｂの外側面６Ｅに当たって操作体５が傾くことを防止することができるものである。
【００２６】
なお、上記の実施の形態では、操作体の規制部の形状が略Ｔ字状である場合を説明したが、これは十字状やＹ字状であってもよいことは勿論である。
【００２７】
【発明の効果】
以上のように本発明によれば、プッシュスイッチの操作体に押し力を加える操作部と接触片を押圧する押圧部の位置の偏心により、操作時に回転モーメントが加わって操作体が傾こうとしても、操作体の規制部がカバーから伸ばされたガイド部の柱状部に当たって傾くことを防止することができるために、カバーの操作体を保持する部分を薄くして小型化できるとともに、操作体の傾きによって、自動実装機の吸着ノズルで吸着不良となったり、スイッチ操作時の感触不良やスイッチＯＮ位置精度のバラツキ等の不具合を生じないという実用的な効果が得られる。
【図面の簡単な説明】
【図１】本発明の一実施の形態によるプッシュスイッチの分解斜視図
【図２】同断面図
【図３】（ａ）同要部である操作体の上面図
（ｂ）同正面図
【図４】（ａ）同要部であるカバーの上面図
（ｂ）同正面断面図
（ｃ）同側面断面図
【図５】図２中のＸ−Ｘ線における断面図
【図６】同操作体を押した状態の断面図
【図７】従来のプッシュスイッチの分解斜視図
【図８】同断面図
【図９】同操作体を押した状態の断面図
【図１０】同自動実装機の吸着ノズルで吸着する状態の断面図
【図１１】（ａ）同操作体が傾いた状態の断面図
（ｂ）図１１（ａ）の状態で操作体を押した場合の断面図
【符号の説明】
１  ケース
２，３  固定端子
２Ａ，３Ａ  固定接点
４  接触片
４Ａ  屈曲部
４Ｂ  支点部
４Ｃ，４Ｄ  可動接点部
４Ｅ  連結部
５  操作体
５Ａ  棒状部
５Ｂ  押圧部
５Ｃ  規制部
５Ｄ  細巾部
５Ｅ  操作部
５Ｆ  先端内側面
６  カバー
６Ａ  孔
６Ｂ  柱状部
６Ｃ  支持壁
６Ｄ  取付枠
６Ｅ  外側面
【図１】
0003882219.tif 000002
【図２】
0003882219.tif 000003
【図３】
0003882219.tif 000004
【図４】
0003882219.tif 000005
【図５】
0003882219.tif 000006
【図６】
0003882219.tif 000007
【図７】
0003882219.tif 000008
【図８】
0003882219.tif 000009
【図９】
0003882219.tif 000010
【図１０】
0003882219.tif 000011
【図１１】
0003882219.tif 000012